【手続補正書】
【提出日】平成18年6月13日(2006.6.13)
【手続補正１】
【補正対象書類名】特許請求の範囲
【補正対象項目名】全文
【補正方法】変更
【補正の内容】
【特許請求の範囲】
【請求項１】
４色以上の複数色の各々に対応した各色ノズル列を含む記録部を主走査方向に走査させながら前記記録部より記録媒体に対してインクを吐出し、当該記録媒体に対して記録を行うインクジェット記録装置であって、
前記複数色のうちもっとも色相差が大きい関係にある第１のインク色のノズル列と第２のインク色のノズル列が前記記録部の主走査方向における両端部に配置されることを特徴とするインクジェット記録装置。
【請求項２】
複数のノズルが配列されてなるノズル列が各インク色に対応するように設けられた記録部を前記ノズルの配列方向と直交する方向へ主走査させ、該主走査中に前記記録部から記録媒体に向けてインクを吐出して記録を行うインクジェット記録装置であって、
前記ノズルの配列方向と直交する方向において、前記インク色のうちもっとも色相差が大きい関係にある第１のインク色のノズル列と第２のインク色のノズル列との間に、当該第１および第２のインク色以外の少なくとも２色のノズル列が配列されることを特徴とするインクジェット記録装置。
【請求項３】
ブラックを含む複数色の各々に対応した各色ノズル列を含む記録部を主走査方向に走査させながら前記記録部より記録媒体に対してインクを吐出し、当該記録媒体に対して記録を行うインクジェット記録装置であって、
前記複数色のうちもっとも色相差が大きい関係にある第１のインク色のノズル列と第２のインク色のノズル列が前記記録部の主走査方向における両端部に配置され、且つ前記第１のインク色のノズル列と第２のインク色のノズル列と間に、ブラックインクのノズル列が挟まれることを特徴とするインクジェット記録装置。
【請求項４】
ブラックインクおよび複数のカラーインクの各々に対応した各色ノズル列を含む記録部を主走査方向に走査させながら前記記録部より記録媒体に対してインクを吐出し、当該記録媒体に対して記録を行うインクジェット記録装置であって、
前記主走査方向に沿って、前記カラーインクのうちもっとも色相差が大きい関係にある第１のインク色のノズル列と第２のインク色のノズル列が前記カラーインク用ノズル列のなかで最も離れるように配列されることを特徴とするインクジェット記録装置。
【請求項５】
前記記録部のノズル列には、シアンインク用ノズル列、ブラックインク用ノズル列、イエローインク用ノズル列、マゼンタインク用ノズル列が含まれ、前記第１のインク色のノズル列はシアンインク用ノズル列であり、前記第２のインク色のノズル列はマゼンタインク用ノズル列であることを特徴とする請求項１ないし４のいずれかに記載のインクジェット記録装置。
【請求項６】
前記記録部の各色ノズル列は、主走査方向において、シアンインク用ノズル列、ブラックインク用ノズル列、イエローインク用ノズル列、マゼンタインク用ノズル列の順で配列されることを特徴とする請求項５に記載のインクジェット記録装置。
【請求項７】
前記記録部のノズル列には、シアンインク用ノズル列、淡シアンインク用ノズル列、ブラックインク用ノズル列、イエローインク用ノズル列、淡マゼンタインク用ノズル列、マゼンタインク用ノズル列が含まれ、
前記第１のインク色のノズル列はシアンインク用ノズル列であり、前記第２のインク色のノズル列はマゼンタインク用ノズル列であることを特徴とする請求項１ないし４のいずれかに記載のインクジェット記録装置。
【請求項８】
前記記録部の各色ノズル列は、主走査方向において、シアンインク用ノズル列、淡シアンインク用ノズル列、ブラックインク用ノズル列、イエローインク用ノズル列、淡マゼンタインク用ノズル列、マゼンタインク用ノズル列の順で配列されることを特徴とする請求項７に記載のインクジェット記録装置。
【請求項９】
前記記録ヘッド部の主走査方向における端部に位置する少なくとも一方のノズル列は、ブラックインク用ノズル列であることを特徴とする請求項２または４に記載のインクジェット記録装置。
【請求項１０】
前記記録部のノズル列には、濃度の異なる同色のインクを吐出するノズル列が含まれ、
前記同系色のインク用ノズル列は主走査方向において互いに隣接して配列されることを特徴とする請求項１ないし４のいずれかに記載のインクジェット記録装置。
【請求項１１】
４色以上の複数色の各々に対応した各色ノズル列を含むインクジェット記録ヘッドであって、
前記各色ノズル列の夫々は、第１方向に配列された複数のノズルから構成され、
前記複数色のうちもっとも色相差が大きい関係にある第１のインク色のノズル列と第２のインク色のノズル列が、前記第１方向と直交する第２方向における両端部に配置されることを特徴とするインクジェット記録ヘッド。
【請求項１２】
第１方向に配列された複数のノズルからなるノズル列が各インク色に対応するように設けられたインクジェット記録ヘッドであって、
前記第１方向と直交する第２方向において、前記インク色のうちもっとも色相差が大きい関係にある第１のインク色のノズル列と第２のインク色のノズル列との間に、当該第１および第２のインク色以外の少なくとも２色のノズル列が配列されることを特徴とするインクジェット記録ヘッド。
【請求項１３】
ブラックを含む複数色の各々に対応した各色ノズル列を含むインクジェット記録ヘッドであって、
前記各色ノズル列の夫々は、第１方向に配列された複数のノズルから構成され、
前記複数色のうちもっとも色相差が大きい関係にある第１のインク色のノズル列と第２のインク色のノズル列が、前記第１方向と直交する第２方向における両端部に配置され、且つ前記第１のインク色のノズル列と第２のインク色のノズル列と間に、ブラックインクのノズル列が挟まれて配置されることを特徴とするインクジェット記録ヘッド。
【請求項１４】
ブラックインクおよび複数のカラーインクの各々に対応した各色ノズル列を含むインクジェット記録ヘッドであって、
前記各色ノズル列の夫々は、第１方向に配列された複数のノズルから構成され、
前記第１方向と直交する第２方向に沿って、前記カラーインクのうちもっとも色相差が大きい関係にある第１のインク色のノズル列と第２のインク色のノズル列が前記カラーインク用ノズル列のなかで最も離れるように配列されることを特徴とするインクジェット記録ヘッド。
【請求項１５】
複数色の各々に対応した各色ノズル列が設けられた記録部を主走査させ、当主走査中に前記記録部から記録媒体に向けてインクを吐出して記録を行うインクジェット記録方法であって、
前記複数色のうちの任意の２色を用いて往方向への主走査中に記録を行った際の画像と復方向への主走査中に記録を行った際の画像との色差が最も大きくなる組合せの２色のノズル列が、前記記録部の主走査方向における両端部に配置されることを特徴とするインクジェット記録方法。
【請求項１６】
ブラックインクに対応したブラックノズル列および複数のカラーインクの各々に対応したカラーノズル列を含む記録部を主走査方向に走査させながら前記記録部より記録媒体に対してインクを吐出し、当該記録媒体に対して記録を行うインクジェット記録方法であって、
前記複数のカラーインクのうちの任意の２色を用いて往方向への主走査中に記録を行った際の画像と復方向への主走査中に記録を行った際の画像との色差が最も大きくなる組合せの２色のカラーノズル列が、前記カラーノズル列の中で前記主走査方向において最も離れるように配置されることを特徴とするインクジェット記録方法。
【手続補正２】
【補正対象書類名】明細書
【補正対象項目名】００１９
【補正方法】変更
【補正の内容】
【００１９】
また、本発明は、複数のノズルが配列されてなるノズル列が各インク色に対応するように設けられた記録部を前記ノズルの配列方向と直交する方向へ主走査させ、該主走査中に前記記録部から記録媒体に向けてインクを吐出して記録を行うインクジェット記録装置であって、
前記ノズルの配列方向と直交する方向において、前記インク色のうちもっとも色相差が大きい関係にある第１のインク色のノズル列と第２のインク色のノズル列との間に、当該第１および第２のインク色以外の少なくとも２色のノズル列が配列されることを特徴とするものである。
【手続補正３】
【補正対象書類名】明細書
【補正対象項目名】００２２
【補正方法】削除
【補正の内容】
【手続補正４】
【補正対象書類名】明細書
【補正対象項目名】００２３
【補正方法】削除
【補正の内容】
【手続補正５】
【補正対象書類名】明細書
【補正対象項目名】００２４
【補正方法】削除
【補正の内容】
【手続補正６】
【補正対象書類名】明細書
【補正対象項目名】００２５
【補正方法】削除
【補正の内容】
【手続補正７】
【補正対象書類名】明細書
【補正対象項目名】００３０
【補正方法】変更
【補正の内容】
【００３０】
また、本発明は、複数色の各々に対応した各色ノズル列が設けられた記録部を主走査させ、当主走査中に前記記録部から記録媒体に向けてインクを吐出して記録を行うインクジェット記録方法であって、
前記複数色のうちの任意の２色を用いて往方向への主走査中に記録を行った際の画像と復方向への主走査中に記録を行った際の画像との色差が最も大きくなる組合せの２色のノズル列が、前記記録部の主走査方向における両端部に配置されることを特徴とする。